(57)【要約】      （修正有）【課題】キャリヤローラの交換が極めて容易に行うことができるベルトコンベヤ用キャリヤスタンドを提供する。【解決手段】ベルトコンベヤに於けるキャリヤ側ベルトａの下を横切ってコンベヤフレーム２に両端を支持した水平バー材１の中央部から対向状に起立する短尺なインスタンド３と、上記水平バー材の両端から起立する長尺なサイドスタンド４と、上記インスタンド低所に支軸を介し内端側を回動自在に支持したサイドアーム５と、このサイドアームの外端側に設けた横長孔７と上記サイドスタンドの上端部から下方に向けた縦長孔８とを合致させて、この合致した上記横長孔と縦長孔とに挿通したボルトとナットからなる締付具９と、上記サイドアームの内端と外端とから上方に突出する突出片の上端軸受切り欠きに支軸１３の両端切り欠き溝１４を落とし込み係合させて軸承したサイドローラ１２とからなる。【選択図】図３
0003207465.tif 000002
【実用新案登録請求の範囲】
【請求項１】
ベルトコンベヤに於けるキャリヤ側ベルトの下を横切ってコンベヤフレームに両端を支持した水平バー材と、この水平バー材の中央部から対向状に起立するように設けた短尺なインスタンドと、上記水平バー材の両端から前記インスタンドに対向して起立するように設けた長尺なサイドスタンドと、上記インスタンド低所に支軸を介し内端側を回動自在に支持したサイドアームと、このサイドアームの外端側に設けた横長孔と上記サイドスタンドの上端部から下方に向けた縦長孔とを合致させて、この合致した上記横長孔と縦長孔とに挿通したボルトとナットからなる締付具と、上記サイドアームの内端と外端とから上方に突出する突出片の上端から下方に向く軸受切り欠きに支軸の両端切り欠き溝を落とし込み係合させて軸承したサイドローラと、上記両インスタンドから上記ベルトの長手方向に突出するプレートの対向面上部に支軸を介し一端側を回動自在に支持したサイドアームと、このサイドアームの他端上縁から下方に向く軸受切り欠きに支軸の両端切り欠き溝を落とし込み係合させて軸承したセンタローラと、このセンタローラの上周面と上記ベルトとの接触状況を維持するように上記プレートに対する上記サイドアームの降下を阻止すると共に、降下阻止を解除できるように設けたロック手段とからなることを特徴とするベルトコンベヤ用キャリヤスタンド。
【考案の詳細な説明】
【技術分野】
【０００１】
この考案は、ベルトコンベヤ用のキャリヤスタンドで、サイドローラ及びセンタローラの交換が極めて容易に行うことができるようにしたスタンドに関する。
【背景技術】
【０００２】
ベルトコンベヤのベルトを支承するローラは、左右一対のサイドローラと、このサイドローラ間に存在するセンタローラとからなり、コンベヤフレームの前後に配置した並列バー材の両端で、それぞれ起立するように設けたサイドスタンドにサイドローラを、バー材の中央部から起立するように設けたインスタンドにセンタローラを支持させてある。
【０００３】
上記の支持は、サイドスタンド及びインスタンドの上端面から下方に向くＵ字状の軸受切り欠きにサイドローラ及びセンタローラの回転支軸の両端にその軸線に対し互いに平行に切り落として設けてある切り欠き溝を落とし込みにともなう嵌め込み係合させて回転支軸を不回転状態に軸承する（例えば、特許文献１及び特許文献２参照）。
【０００４】
また、スタンド（ローラ支持部）を傾斜させてローラを交換するようにしたものがある（例えば、特許文献３参照）。
【先行技術文献】
【特許文献】
【０００５】
【特許文献１】実公平７−３２４８７号公報
【特許文献２】特許第２６７２０７５号公報
【特許文献３】特開平１１−１８９３１９号公報
【考案の概要】
【考案が解決しようとする課題】
【０００６】
ところで、特許文献１及び２のバー材から起立するインスタンド及びサイドスタンドの切り欠きに回転支軸の両端切り欠き溝を上方から落とし込んで係合関係にするので、ローラの交換にともない上述の係合関係を解除するに際しベルトを浮上させる必要が発生する。
【０００７】
このため、ベルトの下に棒材を通過させたのち、棒材の両端を引き上げながらベルトを浮上させるため、著しく手数がかかると共に、コンベヤの運転停止時間が長くなってコンベヤの稼働率が大幅に低下する問題があった。
【０００８】
また、インスタンド及びサイドスタンドで支承した三本のローラは、平面で直列状にならぶ。
すると、サイドローラとセンタローラとの対向端間に大きな間隙ができるので、この間隙にベルトが食い込んでベルトのスムーズな走行を阻害する問題も発生した。
【０００９】
さらに、特許文献３のスタンドを傾斜させる方式にあっては、ボルト及びナットによる締結をゆるめて横材への押圧状態を解き、然るのちローラ支持部材を倒すので、押圧及び押圧解除に著しく手数がかかる問題があった。
【００１０】
また、サイドローラを取り外すのに倒したあと元に戻しながら（角度を保ちつつ）固定する作業効率が悪い。
特に荷受部にスカートが設置してあると、作業性が著しく悪い問題があった。
【００１１】
そこで、この考案は、上述の問題を解決したキャリヤスタンドを提供することにある。
【課題を解決するための手段】
【００１２】
上記の課題を解決するために、この考案は、ベルトコンベヤに於けるキャリヤ側ベルトの下を横切ってコンベヤフレームに両端を支持した水平バー材と、この水平バー材の中央部から対向状に起立するように設けた短尺なインスタンドと、上記水平バー材の両端から前記インスタンドに対向して起立するように設けた長尺なサイドスタンドと、上記インスタンド低所に支軸を介し内端側を回動自在に支持したサイドアームと、このサイドアームの外端側に設けた横長孔と上記サイドスタンドの上端部から下方に向けた縦長孔とを合致させて、この合致した上記横長孔と縦長孔とに挿通したボルトとナットからなる締付具
と、上記サイドアームの内端と外端とから上方に突出する突出片の上端から下方に向く軸受切り欠きに支軸の両端切り欠き溝を落とし込み係合させて軸承したサイドローラと、上記両インスタンドから上記ベルトの長手方向に突出するプレートの対向面上部に支軸を介し一端側を回動自在に支持したサイドアームと、このサイドアームの他端上縁から下方に向く軸受切り欠きに支軸の両端切り欠き溝を落とし込み係合させて軸承したセンタローラと、このセンタローラの上周面と上記ベルトとの接触状況を維持するように上記プレートに対する上記サイドアームの降下を阻止すると共に、降下阻止を解除できるように設けたロック手段とからなる構成を採用する。
【考案の効果】
【００１３】
以上のように、この考案のベルトコンベヤ用のキャリヤスタンドアによれば、締付具を緩めてサイドアームの外端側を降下させると、横長孔の外向き端から内向き端の方向に、また縦長孔の上位端から下位端の方向に締付具のボルトが移動しながら降下方向に支軸を支点としてサイドアームが揺動し、その結果ベルトからサイドローラが遊離（離反）する。
【００１４】
すると、軸受切り欠きから支軸の切り欠き溝を脱出させて切り欠きに対する切り欠き溝の係合関係を解除したサイドローラを極めてスムーズに取り外して交換することができると共に、交換のための操作作業部位がコンベヤフレームのサイドにあるため作業が容易になる。
【００１５】
また、ロック手段によるロックを解除することでプレートに対しサイドアームを降下方向に回動させることができるので、サイドアームに保持されたセンタローラを降下させてベルトに対しセンタローラが遊離（離反）する。
【００１６】
すると、軸受切り欠きから支軸の切り欠き溝を脱出させて切り欠きに対する切り欠き溝の係合関係を解除したセンタローラを極めてスムーズに取り外して交換することができる。
【００１７】
さらに、サイドローラに対してセンタローラを千鳥状に配置してあるので、ローラの端縁間にベルトが食い込んでベルトの損傷をまねく不都合がない。
【００１８】
特にサイドローラの上側に荷こぼれ防止のスカートが設置されていてもスカートに何ら支障なくサイドローラの交換ができると共に、ベルトに搬送物が存在していても、ローラの交換がスムーズにできる。
【図面の簡単な説明】
【００１９】
【図１】この考案の実施形態を示す平面図である。
【図２】同上の一部切欠拡大正面図である。
【図３】同上のサイドローラ-側の一部切欠拡大正面図である。
【図４】同上の作用を示す一部切欠正面図である。
【図５】サイドローラの取り外しを示す一部切欠正面図である。
【図６】切り欠きと切り欠き溝との関係を示す縦断拡大正面図である。
【図７】サイドローラとセンタローラを示す拡大側面図である。
【図８】センタローラの支承を示す一部切欠拡大側面図である。
【図９】同上の降下状態を示す一部切欠側面図である。
【図１０】センタローラの取り外しを示す一部切欠側面図である。
【図１１】ロックピンを示す縦断拡大正面図である。
【考案を実施するための形態】
【００２０】
この考案の実施形態を添付図面に基づいて説明する。
この考案の実施形態では、図１から図８に示すように、ベルトコンベヤＡに於けるキャリヤ側ベルトａの下を横切って前後に多数本並列する水平バー材１の両端をコンベヤフレーム２に取付金具などを介し支持する。
【００２１】
上記のベルトコンベヤＡは、周知のようにヘッドプーリ及びテールプーリと、このヘッドプーリとテールプーリとに無端状のベルトをかけ渡して（図示省略）構成してある。
【００２２】
上記水平バー材１の中央部には、対向状に起立する短尺なインスタンド３が、水平バー材１の両端には、インスタンド３に対向する長尺な（インスタンド３よりも上方への突出長さが長い）サイドスタンド４が設けてある。
【００２３】
また、インスタンド３の低所にサイドアーム５の内端側を支軸６を介し回動自在に支持し、このサイドアーム５の外端側に設けてある横長孔７とサイドスタンド４の上端部から下方に向くように設けてある縦長孔８とを合致させて、この合致した横長孔７及び縦長孔８にボルトとナットからなる締付具９のボルトを挿通する。
【００２４】
さらに、サイドアーム５の内端と外端からそれぞれ上方に突出する突出片１０を設けて、この両突出片１０の上端面から下方に向け軸受切り欠き１１を設け、この欠く軸受切り欠き１１にサイドローラ１２の支軸１３の両端外周面対向位置に設けてある切り欠き溝１４を落とし込み係合させて、サイドアームにサイドローラ１２を支承する。
【００２５】
また、インスタンド３からベルトａの長手方向に突出するプレート２１の対向面上部に支軸２２を介しサイドアーム２３の一端を回動自在に取り付けると共に、このサイドアーム２３の他端には、上縁から下方に向け軸受切り欠き２４を設けて、この軸受切り欠き２４にセンタローラ２５の支軸２６の両端外周面対向位置に設けてある切り欠き溝２７を落とし込み係合させて、サイドアーム２３にセンタローラ２５を支承する。
【００２６】
なお、軸受切り欠き２４に切り欠き溝２７を落とし込み係合させたのち、図示のようにサイドアーム２３に軸２８を介し回動自在に末端を取り付けてある「つ」字状の抱き込み片２９を図９反時計方向に回動させて、図６に示すように抱き込み片２９により支軸２６を抱き込むと、軸受切り欠き２４に対する支軸２６の脱出を防止することができる。
【００２７】
さらに、サイドアーム２３には、ベルトａに対するセンタローラ２５の上周面に接触状況下にサイドアーム２３の降下を阻止すると共に、降下阻止を解除することができるロック手段Ｂが設けてある。
【００２８】
上記のロック手段Ｂは、図８、９及び図１１に示すように、プレート２１に透孔３１を、サイドアーム２３にベルトａとセンタローラ２５の上周面との接触状況下に透孔３１に嵌挿したボルト３２をねじ込むように設けたネジ孔３３とで構成したが、この構成以外にプレート２１の溶接やねじ込みなどで取り付けてある筒状のガイド３４にピン３５とバネ３６を組み込むと共に、ピン３５の末端に設けてある撮み３７を把持してピン３５を引き戻すとバネ３６が圧縮され、ベルトａにセンタローラ２５の上周面を接触するようにサイドアーム２３を回動させたとき、サイドアーム２３の孔３８にピン３５が自動的に嵌入して、サイドアーム２３の降下方向の回動を阻止する構成を並設したが、限定されず、その他の上記目的を達成する方式を用いてもよい。
【００２９】
上記のように構成すると、故障したサイドローラ１２を取り替える場合、締付具９を緩めてサイドアーム５の外端を押し下げ（引き下げ）ると、締付具９のボルトが縦長孔８の上端から下方に、また横長孔７の外端から内端方向に移動しつつ支軸６を支点として図４時計方向にサイドアーム５が回動する。
【００３０】
すると、ベルトａに対しサイドローラ１２の上周面が図３に示す状態から図４に示すように遊離（離反）するので、この状況下で、まずサイドローラ１２の支軸１３の外端側を上昇させて軸受切り欠き１１から支軸１３の外端側を脱出させ、然るのち支軸１３の内端側を軸受切り欠き１１から脱出させて図５に示すサイドローラ１２を回収する。
【００３１】
回収後に新しいサイドローラ１２の支軸１３の内端を軸受切り欠き１１に落とし込み係合し、次いで支軸１３の外端を軸受切り欠き１１に落とし込み係合したのち、サイドアーム５の外端側を上昇させてベルトａにサイドローラ１２の上周面を接触させ、次いで締付具９を締め付ける。
【００３２】
故障したセンタローラ２５を交換する場合、抱き込み片２９による支軸２６の抱き込みを解除したのち、ロック手段Ｂのボルト３２を抜き取る。
【００３３】
次いで、ロック手段Ｂの把持した撮み３７によりピン３５を引き戻して、孔３８からピン３５の先端を引き抜く。
【００３４】
この状況下でサイドアーム２３を降下方向に回動させて、ベルトａに対しセンタローラ２５を図９鎖線から実線に示すように遊離（離反）する。
【００３５】
その後に軸受切り欠き２４から支軸２６を脱出させて、図１０鎖線で示すようにセンタローラ２５を回収する。
【００３６】
次いでサイドアーム２３の軸受切り欠き２４に新しいセンタローラ２５の支軸２６の端を落とし込み係合したのち、サイドアーム２３を上昇方向に回動する。
【００３７】
すると、孔３８にピン３５が自動的に嵌入してサイドアーム２３の降下方向の回動が阻止され、然るのち、透孔３１に挿入したボルト３２をネジ孔３３にねじ込む。
また、抱き込み片２９により支軸２６の外端を抱き込んでおく。
【００３８】
なお、図３に示すようにサイドスタンド４に設けてある突出板５１に重なり合うようにサイドアーム５に設けてある突出片５２とに合致する透孔５３を設けておくと、サイドアーム５を持ち上げて合致した両透孔５３に工事用のシノ棒などを突き刺すことによりサイドアーム５の持ち上げ角度が一定になって、その後に締付具９の締め付け作業を行う（サイドアーム９の）角度決定に効果があると共に、存在するスカートゴムとのすきまの問題も解消でき、作業を確実に行うこともできる。
【符号の説明】
【００３９】
Ａ  ベルトコンベヤ
ａ  ベルト
Ｂ  ロック手段
１  水平バー材
２  コンベヤフレーム
３  インスタンド
４  サイドスタンド
５  サイドアーム
６  支軸
７  横長孔
８  縦長孔
９  締付具
１０  突出片
１１  軸受切り欠き
１２  サイドローラ
１３  支軸
１４  切り欠き溝
２１  プレート
２２  支軸
２３  サイドアーム
２４  軸受切り欠き
２５  センタローラ
２６  支軸
２７  切り欠き溝
２８  軸
２９  抱き込み片
３１  透孔
３２  ボルト
３３  ネジ孔
３４  ガイド
３５  ピン
３６  バネ
３７  撮み
３８  孔
【図１】
0003207465.tif 000003
【図２】
0003207465.tif 000004
【図３】
0003207465.tif 000005
【図４】
0003207465.tif 000006
【図５】
0003207465.tif 000007
【図６】
0003207465.tif 000008
【図７】
0003207465.tif 000009
【図８】
0003207465.tif 000010
【図９】
0003207465.tif 000011
【図１０】
0003207465.tif 000012
【図１１】
0003207465.tif 000013